(57)【要約】【課題】インクジェット記録装置のマルチパス記録用のマスクデータのメモリ容量を節約して高画質化を実現する。【解決手段】特定の色に対しては複数の同色記録ノズル列を含み、記録する色に対応させて複数の記録ノズル列を備えた記録ヘッドを有するインクジェット記録装置において、同色記録ノズル列ではない単一記録ノズル列で記録する色の記録データを、第１マルチパス記録用マスクデータを使用して処理する手段と、同色記録ノズル列で記録する色の記録データを、前記第１マルチパス記録用マスクデータよりパス数の多い第２マルチパス記録用マスクデータを使用して処理する手段と、を備える、ことを特徴とするインクジェット記録装置。【選択図】図６
2007301743.tif 000002
【特許請求の範囲】
【請求項１】
第１の色に対応する複数の記録ノズル列と、第２の色に対応する単一の記録ノズル列と、を少なくとも備えた記録ヘッドを用いて記録を行うインクジェット記録装置において、
前記単一の記録ノズル列で記録する前記第２の色の記録データを、第１マルチパス記録用マスクデータを使用して処理する手段と、
前記複数の記録ノズル列で記録する前記第１の色の記録データを、前記第１マルチパス記録用マスクデータよりパス数の多い第２マルチパス記録用マスクデータを使用して処理する手段と、を備える、ことを特徴とするインクジェット記録装置。
【請求項２】
前記第１の色に対応する前記複数の記録ノズル列の一方と他方は、同一の記録走査時、互いに異なる列位置の前記記録データを記録する、ことを特徴とする請求項１に記載のインクジェット記録装置。
【請求項３】
前記第２マルチパス記録用マスクデータは、現在設定されているマルチパス記録モードとは異なるマルチパス記録モードで使用するマルチパス記録用マスクデータである、ことを特徴とする請求項１又は２に記載のインクジェット記録装置。
【請求項４】
第１の色に対応する複数の記録ノズル列と、第２の色に対応する単一の記録ノズル列と、を少なくとも備えた記録ヘッドを用いて記録を行うための記録データを処理する方法において、
前記単一の記録ノズル列で記録する前記第２の色の記録データを、第１マルチパス記録用マスクデータを使用して処理する工程と、
前記複数の記録ノズル列で記録する前記第１の色の記録データを、前記第１マルチパス記録用マスクデータよりパス数の多い第２マルチパス記録用マスクデータを使用して処理する工程と、を備えることを特徴とするデータ処理方法。
【請求項５】
請求項４に記載のデータ処理方法の手順が、コンピュータで実行可能なコードとして記述されたプログラム。
【請求項６】
請求項５に記載のデータ処理方法の手順が、コンピュータで実行可能なコードとして記述されたプログラムが記憶されたコンピュータ可読記憶媒体。
【発明の詳細な説明】
【技術分野】
【０００１】
本発明は、特定の色のインクに対し複数の記録ノズル列を備えた記録ヘッドを用いて高画質のカラー記録を可能とするインクジェット記録装置、データ処理方法、プログラムおよび記憶媒体に関する。
【背景技術】
【０００２】
従来、同一の色のインクに対して、インク吐出用の記録ノズル列を複数設けた記録ヘッドを備えたインクジェット記録装置では、一回の記録走査で一方の記録ノズル列と他方の記録ノズル列による記録位置が同じ位置になるように制御する。その場合、記録ヘッドの２つの記録ノズル列に対するインクの加熱タイミングをずらして制御している。
【０００３】
記録ヘッドの記録走査毎に主走査方向における記録ヘッドの加熱タイミングをずらして高解像度化を実現するため、マルチパス記録方式を採用し、記録パス（記録走査）数を増加させることが知られている。
【０００４】
また、吐出周波数より速い速度で記録して高速化を実現する場合は、一方の記録ノズル列と他方の記録ノズル列の加熱タイミングをずらす。それにより、一方の記録ノズル列と他方の記録ノズル列のノズルによる記録位置が斜めとなる位置にして、みかけ上の出力解像度を上げることを実現していた。
【０００５】
また、写真系のインクジェット記録装置で、高解像度化した記録データを記録する場合も、列間引きの記録と、マルチパス記録用のマスクデータとを組み合わせて記録を行っていた。それにより、複数の記録ノズル列の構成を有するシアンとマゼンタについても、他の色と異なるパス数のマルチパス記録用のマスクデータを使用して記録を行うようなことはなかった。
【特許文献１】特開２００１−０９６７７０号公報
【特許文献２】特開２００１−０９６７７１号公報
【特許文献３】特開２００２−１３７４２１号公報
【発明の開示】
【発明が解決しようとする課題】
【０００６】
しかしながら、上記従来例では以下のような解決すべき課題があった。
【０００７】
すなわち、従来、記録走査方向の解像度の高い記録データを記録する場合であっても、列間引きの記録とマルチパス記録用のマスクデータを組み合わせて記録を行うため、マルチパス記録を行っても、列間引きを行う必要があった。そのため、記録画像にあっては、実際に記録をしたパス数の画質より劣った記録の画質しか得られなかった。具体的に説明すると４パス、即ち、マルチパス記録方式における、４記録走査記録を行った場合も、実際は、２パス記録と列間引き記録の組み合わせで記録動作を実行している。そのため、記録された画像は、２パス記録相当の画質になってしまうという問題があった。
【０００８】
また、記録ノズル列を、それぞれ２つ設けた構成としたシアンＣとマゼンタＭについても、振り分けマスクデータを使用する場合には、マスクデータの記憶容量が現在よりさらに大きくなるという問題があった。
【０００９】
本発明は、上記問題点を解決するために成されたものであり、マスクデータ用のメモリ容量を節約して、スループットを落とさないで高解像度化、高画質化を実現を目的とする。
【課題を解決するための手段】
【００１０】
上記の目的の達成のために、本発明の実施形態によれば、
第１の色に対応する複数の記録ノズル列と、第２の色に対応する単一の記録ノズル列と、を少なくとも備えた記録ヘッドを用いて記録を行うインクジェット記録装置において、
前記単一の記録ノズル列で記録する前記第２の色の記録データを、第１マルチパス記録用マスクデータを使用して処理する手段と、
前記複数の記録ノズル列で記録する前記第１の色の記録データを、前記第１マルチパス記録用マスクデータよりパス数の多い第２マルチパス記録用マスクデータを使用して処理する手段と、を備える、ことを特徴とするインクジェット記録装置を提供する。
【００１１】
上記の目的の達成のために、本発明の他の実施形態によれば、
第１の色に対応する複数の記録ノズル列と、第２の色に対応する単一の記録ノズル列と、を少なくとも備えた記録ヘッドを用いて記録を行うための記録データを処理する方法において、
前記単一の記録ノズル列で記録する前記第２の色の記録データを、第１マルチパス記録用マスクデータを使用して処理する工程と、
前記複数の記録ノズル列で記録する前記第１の色の記録データを、前記第１マルチパス記録用マスクデータよりパス数の多い第２マルチパス記録用マスクデータを使用して処理する工程と、を備えることを特徴とするデータ処理方法を提供する。
【００１２】
本発明の、さらに他の実施形態によれば、前記データ処理方法の手順が、コンピュータで実行可能なコードとして記述されたプログラムを提供する。
【００１３】
本発明の、さらに他の実施形態によれば、前記データ処理方法の手順がコードとして記述されたプログラムが記憶されたコンピュータ可読記憶媒体を提供する。
【発明の効果】
【００１４】
上記で説明するように、本発明によれば、マルチパス記録用マスクデータのメモリ容量を節約し、スループットを落とさないで高解像度化、高画質化が実現出来る。
【発明を実施するための最良の形態】
【００１５】
＜実施形態１＞
図１は、本発明の実施形態に使用可能なカラー画像の記録を行うインクジェット記録装置の記録ヘッドの構成図である。インクを吐出するノズルは、各色の記録ヘッド毎に偶数ノズル列Ｅと奇数ノズル列Ｏに分かれて配置された記録ノズル列を有する。偶数ノズル列Ｅと奇数ノズル列Ｏの各ノズルの位置は、図示するように千鳥状に配置されている。偶数ノズル列Ｅと奇数ノズル列Ｏを合わせて１色分の記録ノズル列の構成となる。即ち、図１においては、シアンＣのインクを記録するのは記録ヘッドＣ１及び記録ヘッドＣ２であって、したがって、シアンＣは２つの記録ノズル列ＮＺＣ１及びＮＺＣ２で記録されることになる。同様に、マゼンタＭのインクを記録するのは記録ヘッドＭ１及び記録ヘッドＭ２であって、したがって、マゼンタＭも２つの記録ノズル列ＮＺＭ１及びＮＺＭ２で記録されることになる。さらに、真中にはイエローＹの記録ノズル列ＹＮＺを有する。イエローＹに関しては記録ノズル列は１つのみしか設けられていない。このように、図１に示す記録ヘッドの配置は、イエローＹの記録ノズル列ＮＺＹを中心としてマゼンタＭの記録ノズル列ＮＺＭ１及びＮＺＭ２が対象に配置される。同様に、イエローＹの記録ノズル列ＮＺＹを中心としてシアンＣの記録ノズル列ＮＺＣ１及びＮＺＣ２が対称に配置される。その理由から、図１のような記録ノズル列の配列は対称ノズル列構造と呼ばれ、２つの色に対して、すなわち、シアンとマゼンタに対してそれぞれ２本の同色記録ノズル列を有し、イエローに対しては、１本の単一記録ノズル列を有する。
【００１６】
また、各偶数ノズル列Ｅ及び奇数ノズル列Ｏを含んだ記録ノズル列を有する記録ヘッドには、記録ヘッドの温度を検出するために、記録ヘッド温度検出用のダイオードセンサＤＳが設けられている。通常は、図１に示した記録ヘッドに加えて黒ＢＫの記録ヘッドが使用されるが、本発明の実施形態の説明では、特に必要としないので、省略されている。
【００１７】
図２は、本発明の実施形態におけるインクジェット記録装置を使用するインクジェット記録システムを示し、ホストとなるパーソナルコンピュータ（ＰＣ）２０とインクジェット記録装置２２とで構築される。
【００１８】
インクジェット記録装置２２は、制御部２３と記録ヘッドや記録用紙の送り機構などを含む機構部２４とで構成される。尚、機構部２４については従来より知られているシリアル形式のプリンタ機構を使用することが可能である。この機構部２４の説明は、本発明の実施形態の説明には、必ずしも必要としないので、この説明は省略する。
【００１９】
次に、制御部２３には、インクジェット記録装置２２全体を制御するＣＰＵ２０１及び制御用プログラム２０３が格納されるＲＯＭ２０２が設けられる。さらにこのＲＯＭ２０２には、ある解像度を有する入力画像データから出力データの解像度に変換するときに使用するドット配置のインデックスパターン２０４や、マルチパス制御のマスクパターン２０５等が格納される。このインデックスパターン２０４とマスクパターン２０５は、記録ヘッドの各色の記録ノズル列毎に独立して格納されている。
【００２０】
２０７は、ＰＣ２０から転送された入力記録データを受信する受信バッファであり、ＲＡＭ２０６の一部が割り当てられる。このＲＡＭ２０７には、データ展開用ワークバッファ２０８と記録データを格納する記録バッファ２０９等が含まれる。さらにＲＡＭ２０７には、シアンの記録ノズル列ＮＺＣ１及びＮＺＣ２とマゼンタの記録ノズル列ＮＺＭ１及びＮＺＭ２のマスクパターン展開用マスクバッファ２１０及びインデックスパターン展開用インデックスバッファ２１２も含まれる。さらにまた、イエローの記録ノズル列ＮＺＹのマスクパターン展開用マスクバッファ２１１及びインデックスパターン展開用インデックスバッファ２１３も設定される。
【００２１】
２１４は記録に関連して使用する各バッファの管理をしている記録バッファ管理モジュールであり、２１５は動作を行うインクジェット記録装置２２の記録エンジン部の記録シーケンサモジュールである。
【００２２】
さらに、インクジェット記録装置２２のホストであるＰＣ２０には、記録データを生成するインクジェット記録装置２２用のプリンタドライバ２１が設けられる。２２２は、インクジェット記録装置２２とＰＣ２０を接続する、例えばインターフェースケーブルである。インクジェット記録装置２２とＰＣ２０は必ずしも、有線のインターフェースケーブル２２２で接続する必要はなく、無線で接続することも可能である。
【００２３】
図３は、インクジェット記録装置２２で使用する記録データを示す図である。図において、６００dpiの解像度を有する入力記録データが４bit、６値の出力解像度２４００dpi（４×２）のインデックスパターンになることを示している。また図４は、６００dpiの解像度を有する入力記録データが４bit、１６値の出力解像度４８００dpi（８×２）のインデックスパターンになることを示している。
【００２４】
記録ヘッドの吐出周波数が１２００dpiとした場合、記録ヘッドの１回の記録走査時に列間引きでデータの記録を行う。したがって、図３に示す２４００dpi（４×２）のインデックスパターンを記録するには、図３に示すように、最低２回の記録走査が必要となる。すなわち、記録ヘッドの記録ノズル列の１回目の記録走査時に列０と列２を記録し、２回目の記録走査時に記録開始位置を２４００dpi相当分ずらして、列１と列３を記録する。
【００２５】
そのため、図３の６００dpi、４bit、６値の出力解像度２４００dpi（４×２）のデータを４パス記録で記録する場合は、列間引きを行うので、マルチパス記録用のマスクデータとしては、２パス記録用のマスクデータを使用する。
【００２６】
本発明の実施形態１では、図５に示すように、一つの色に対して複数の記録ノズル列のあるシアン及びマゼンタの記録データを６００dpi、４bit、６値の４×２のインデックスパターンに展開する。そして、１回の記録走査で一方の記録ノズル列（ＮＺＣ１、ＮＺＭ１）で列０と列２を記録し、もう一方の記録ノズル列（ＮＺＣ２、ＮＺＭ２）の記録開始位置を２４００dpiずらした設定にして列１と列３を指定して記録する。
【００２７】
それにより、１回の記録走査で４×２の記録データを記録することが出来る。従来は、マルチパス記録用のマスクデータに、２パス記録用のマスクデータを使用していたが、マルチパス記録用のマスクデータに４パス記録用のマスクデータを使用することが可能になる。したがって、パス数は４パスのままで、これまでは２パス記録相当の画質しか得られなかったが、４パス記録相当の画質が得られ、画質が向上した。
【００２８】
また、従来、図４の４８００dpi（８×２）のインデックスパターンを記録するには、最低４回の記録走査が必要であった。すなわち、１回目の記録走査時に列０と列４を記録し、２回目の記録走査時に記録開始位置を４８００dpiずらして列１と列５を記録する。３回目の記録走査時に記録開始位置をさらに４８００dpiずらして列２と列６を記録する。同様に４回目の記録走査時に記録開始位置をさらに４８００dpiずらして列３と列７を記録する。
【００２９】
そのため、３０１の６００dpi、４bit、１６値の出力解像度４８００dpi（８×２）の記録データを８パス記録をする場合は、１／４列間引きを行うので、マルチパス記録用のマスクデータとしては、２パス記録用のマスクデータを使用することになる。
【００３０】
本発明の実施形態１では、図６に示すように、一つの色に対して複数の記録ノズル列のあるシアン及びマゼンタの記録データを６００dpi、４bit、１６値の８×２のインデックスパターンに展開する。そして、１回目の記録走査時に複数のうち一方の記録ノズル列（ＮＺＣ１、ＮＺＭ１）で列０と列４、もう一方の記録ノズル列（ＮＺＣ２、ＮＺＭ２）の記録開始位置を４８００dpiずらした設定にして列１と列５を記録する。さらに、２回目の記録走査時に、一方の記録ノズル列（ＮＺＣ１、ＮＺＭ１）で記録開始位置をさらに４８００dpiずらして列２と列６を記録する。そして、他方の記録ノズル列（ＮＺＣ２、ＮＺＭ２）の記録開始位置をさらに４８００dpiずらした設定にして列３と列７を記録する。
【００３１】
これにより、２回の記録走査で８×２のデータを記録することができる。これまではマルチパス記録用のマスクデータとして、２パス記録用のマスクデータを使用していた。しかしながら、本発明によれば、マルチパス記録用のマスクデータに、パス数の多い４パス記録用のマスクデータを使用することが可能になった。したがって、パス数は８パスのままで、これまでは２パス記録相当の画質しか得られなかったが、本発明の実施形態１では、４パス記録相当の画質が得られることになり画質が向上した。
【００３２】
図７は、本発明の実施形態１で使用するマスクデータ構成を示した図である。マルチパス記録を行うために、記録モードで色毎にどのマスクデータを使用するか決められている。ここでは、例えば４パス記録の場合で説明する。４パス記録用のマスクデータには、７０１の４パス列間引き有り用のマスクデータ（２パス記録用マスク）と、７０２の４パス列間引きなし用のマスクデータ（４パス記録用マスク）を備えている。そして、８パス記録用のマスクデータには、７０３の８パス列間引き有り用のマスクデータ（４パス記録用マスク）と７０４の８パス列間引きなし用のマスクデータ（８パスマスク）を備えている。
【００３３】
したがって、ヘッドの吐出周波数が間に合わない高解像度データを記録する場合、一つの色に対して複数の記録ノズル列のあるシアン及びマゼンタについては、これまでは４パス列間引き有り用のマスクデータ（２パス記録用マスク）していた。本発明では、別の高画質モードで使用する４パス列間引きなし用のマスクデータ（４パス記録用マスク）または、８パス列間引き有り用のマスクデータ（４パス記録用マスク）を使用することができる。
【００３４】
これらのマスクデータは、別の高画質のモードで使用するためにすでに備えているマスクデータなので、一つの色に対して複数の記録ノズル列のある色の振り分け用のマスクデータを用意する必要がない。そのため、マスクパターン２０５を格納するＲＯＭ２０２の容量は、これまでと比較してマスクデータ容量を増加させることなく画質を上げることが可能となる。
【００３５】
図８は、本発明の処理の流れを示すフローチャートである。以下に本発明の処理の流れについて説明する。
【００３６】
ステップＳ１でＰＣ２０のアプリケーションで記録を開始する。ステップＳ２でＰＣ２０のプリンタドライバ２１が記録データを生成する。このとき、プリンタドライバ２１は、６００dpiの解像度の入力データから解像度が２４００dpi/４８００dpiの高解像度のドットパターンになる記録データを生成する。
【００３７】
ステップＳ３で、ＰＣ２０からインクジェット記録装置２２へ記録データを転送する。ステップＳ４で、インクジェット記録装置２２は記録データを受信する。ステップＳ５で受信した記録データの展開を行う。記録バッファでは、記録ヘッドを加熱する順に記録データが並びかえられる。まず、ステップＳ６で記録するための加熱ウインドの開始位置と終了位置を設定する。この場合、１つの色に対して複数の記録ノズル列があるシアンとマゼンタに対しては、１回の記録走査で２４００dpi、又は４８００dpiずれた列の記録データを記録する必要がある。そのため、記録ノズル列で２４００dpiまたは４８００dpiずらした位置を設定する。
【００３８】
ステップＳ７で、６００dpi、４bit、６値、又は６００dpi、４bit、１６値の記録モードを指定して６００dpi、４×２、又は６００dpi、８×２のシアン及びマゼンタの記録データに関してインデックスコードに展開する。同様に、ステップＳ８では、イエローの記録データに関してインデックスコードに展開する。
【００３９】
ステップＳ９、Ｓ１０でそれぞれ列間引きの設定を行い、どの列データを記録するかの設定を行う。ここでは、次のような列データの指定を行う。
【００４０】
ステップＳ９で６００dpi、４bit、６値の記録モードのときは、１つの色に対して複数の記録ノズル列があるシアンとマゼンタに対しては、１回目の記録走査時に一方の記録ノズル列（ＮＺＣ１、ＮＺＭ１）に列０と列２を記録する指定をする。さらに、他方の記録ノズル列（ＮＺＣ２、ＮＺＭ２）で列１と列３を記録する指定をする。さらに、ステップＳ１０で、１つの色に対して複数の記録ノズル列がないイエローに対しては、記録ノズル列（ＮＺＹ）に対し、６００dpi、４bit、６値の記録モードのときは１回目の記録走査時に列０と列２を記録する。そして、２回目の記録走査時に列１と列３を記録する指定を行う。
【００４１】
また、ステップＳ７で、６００dpi、４bit、１６値の記録モードのときは、シアンとマゼンタに対しては、１回目の記録走査時に複数のうち一方の記録ノズル列（ＮＺＣ１、ＮＺＭ１）で列０と列４を記録する設定を行う。また、もう一方の記録ノズル列（ＮＺＣ２、ＮＺＭ２）で列１と列５を記録する指定を行う。また、２回目の記録走査時に一方の記録ノズル列（ＮＺＣ１、ＮＺＭ１）で列２と列６を記録し、他方の記録ノズル列（ＮＺＣ２、ＮＺＭ２）で列３と列７を記録する指定を行う。さらに１つの色に対して複数のノズルがないイエローに対しては、記録ノズル列（ＮＺＹ）に対し、６００dpi、４bit、１６値の記録モードのときは１回目の記録走査時に列０と列４を記録し、２回目の記録走査時に列１と列５を記録する指定を行う。さらに、３回目の記録走査時に列２と列６を記録し、４回目の記録走査時に、列３と列７を記録する指定を行う。
【００４２】
ステップＳ１１及びＳ１２では、どのマスクデータを使用するかマスクデータの設定を行う。４パス記録をする場合で説明する。すなわち、ステップＳ１１では、シアンとマゼンタに対しては、４パス列間引きなし用のマスクデータ（４パス記録用マスク）７０２または、８パス列間引き有り用のマスクデータ（４パス記録用マスク）７０３を指定する。そして、ステップＳ１２では、イエローに対しては、４パス列間引きあり用のマスクデータ（２パス記録用マスク）７０１を指定する。その後、ステップＳ１３で記録を実行する。
【００４３】
このようにして、シアン及びマゼンタに関しては、イエローより高画質モードの、即ちパス数の多いマルチパス記録用マスクデータを使用することにより、高解像度データをこれまでより画質を向上させてスループットを落とさずに記録することができる。
【００４４】
本願に実施形態の説明は、あくまでも１つの例であり、必ずしも、イエローＹの記録ノズル列を１つにす必要はない。またブラックＢＫも考えるといろいろな組み合わせが考えられる。また、上記した出力データの解像度や、記録走査回数に関しても単に１つの例示であり、本願の発明は色々に変形された形で実施することが可能である。
【００４５】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００４６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【００４７】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４８】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００４９】
【図１】本発明の実施形態における記録ヘッドの構成の１例を示す図である。
【図２】本発明の実施形態におけるインクジェット記録システムの構成の１例を示す図である。
【図３】従来技術における記録動作を説明する図である。
【図４】従来技術における記録動作を説明する図である。
【図５】本発明の実施形態における記録動作を説明する図である。
【図６】本発明の実施形態における記録動作を説明する図である。
【図７】本発明の実施形態におけるＲＯＭに格納されたマスクデータの構成の１例を示す図である。
【図８】本発明の実施形態における処理の流れを示すフローチャートである。
【図１】
2007301743.tif 000003
【図２】
2007301743.tif 000004
【図３】
2007301743.tif 000005
【図４】
2007301743.tif 000006
【図５】
2007301743.tif 000007
【図６】
2007301743.tif 000008
【図７】
2007301743.tif 000009
【図８】
2007301743.tif 000010